(57)【要約】【課題】タバコ等の回収物の臭いを容易に脱臭して、その周囲の環境を快適にすることができる回収装置を提供する。【解決手段】被脱臭物を運ぶコンベヤを収納するチャンネル部材の内部に、光触媒と、上記光触媒を照射しうる光源とが具えられる。上記被脱臭物はタバコの吸殻であって、上記光触媒はコーティングされているものとすることができる。また、上記光触媒はコンベヤの表面部や、上記チャンネル部材の内面部や、上記チャンネル部材の開口部を覆うカバー部材の内面部などにコーティングすることができる。【選択図】　　　　図１
2004065239.tif 000002
【特許請求の範囲】
【請求項１】
被脱臭物を運ぶコンベヤを収納するチャンネル部材の内部に、光触媒と、上記光触媒を照射しうる光源とが具えられていることを特徴とする回収装置。
【請求項２】
上記被脱臭物はタバコの吸殻であって、上記光触媒はコーティングされていることを特徴とする請求項１記載の回収装置。
【請求項３】
上記光触媒は上記コンベヤの表面部にコーティングされていることを特徴とする請求項２記載の回収装置。
【請求項４】
上記光触媒は上記チャンネル部材と、上記チャンネル部材の開口部を覆うカバー部材の内面部とにコーティングされていることを特徴とする請求項２記載の回収装置。
【請求項５】
上記光触媒は上記コンベヤの表面部と、上記チャンネル部材及びカバー部材の内面部とにコーティングされていることを特徴とする請求項２記載の回収装置。
【発明の詳細な説明】
【０００１】
【発明の属する技術分野】
本発明は回収装置に係り、特にタバコの吸殻等を運ぶ回収装置に関する。
【０００２】
【従来の技術】
例えば、パチンコ店などでは、タバコを吸いながらパチンコやスロットマシン等の遊技機で遊ぶ客が多い。しかしながら、タバコの煙や臭いを嫌悪する客も多い。そこで、タバコの吸殻等を回収する装置をパチンコ台やスロットマシンなどの遊技機の傍に設置する店が増えている。
【０００３】
このような装置として、遊技機の前に玉箱などを置くために設けた台の下面側に、ベルト等のコンベヤを内部に具えたチャンネル部材を取り付け、そのチャンネル部材のコンベヤによって台に設けた灰皿から落下した吸殻等を回収ボックスまで運ぶようにした装置が存在する。
【０００４】
ところで、このような装置を長期間にわたって使用すると、そのチャンネル部材の内部にタバコの臭いやヤニが付着するので、定期的にチャンネル部材の内部を洗浄することが望ましい。しかしながら、内部を洗浄してもタバコの臭いは消えにくく、又、ヤニも除去しにくいという問題がある。また、洗浄作業も極めて煩雑である。
【０００５】
なお、出願人は上記の問題を解決しうる回収装置に係る先行技術文献を知り得ていない。
【０００６】
【発明が解決しようとする課題】
本発明は、回収物の臭いを容易に脱臭して、その周囲の環境を快適にすることができる回収装置の提供を課題とする。
【０００７】
【課題を解決するための手段】
上記課題を解決するために、本発明の回収装置は、被脱臭物を運ぶコンベヤを収納するチャンネル部材の内部に、光触媒と、上記光触媒を照射しうる光源とが具えられていることを特徴としている。
【０００８】
また、上記被脱臭物はタバコの吸殻であって、上記光触媒はコーティングされているものとすることができる。
【０００９】
また、上記光触媒は上記コンベヤの表面部にコーティングされているものとすることができる。
【００１０】
また、上記光触媒は上記チャンネル部材と、上記チャンネル部材の開口部を覆うカバー部材の内面部とにコーティングされているものとすることができる。
【００１１】
また、上記光触媒は上記コンベヤの表面部と、上記チャンネル部材及びカバー部材の内面部とにコーティングされているものとすることができる。
【００１２】
【発明の実施の形態】
以下、添付した図面を用いて本発明の実施の形態について説明する。　まず、図１乃至図４に示した実施の形態から説明する。
本実施の形態に係る回収装置１７は、被脱臭物を運ぶコンベヤ８を収納するチャンネル部材３の内部に、光触媒と、上記光触媒を照射しうる光源１６とが具えられている。
上記被脱臭物はタバコの吸殻であって、上記光触媒はコーティングされている。
上記光触媒は上記コンベヤ８の表面部にコーティングされている。
また、上記光触媒は上記チャンネル部材３と、上記チャンネル部材３の開口部５を覆うカバー部材６の内面部とにコーティングされている。
すなわち、上記光触媒は上記コンベヤ８の表面部と、上記チャンネル部材３及びカバー部材６の内面部とにコーティングされている。
【００１３】
上記回収装置１７は、図１に示すように、パチンコ台やスロットマシンなどの遊技機１の前に玉箱などを置くために設けられた台２の下面側に取付けられるチャンネル部材３を具えている。
【００１４】
なお、上記台２の上面側には灰皿４が設置され、その灰皿４に入れた吸殻等は台２の下に落下して、チャンネル部材３の内部に入るようになっている。
【００１５】
上記チャンネル部材３は台２の下面側に取付けられているが、側方を開口するように形成されている。そして、その開口部５を覆うように上記チャンネル部材３にカバー部材６が装着されている。このカバー部材６は上記チャンネル部材３に対し取り外しうるように形成されている。
【００１６】
上記チャンネル部材３と、上記カバー部材６の長さは自由であるが、上記チャンネル部材３は１本の長さを約４ｍ程度にし、又、上記カバー部材６は１本の長さを約２ｍ程度にしている。
【００１７】
そして、上記チャンネル部材３と、上記カバー部材６は、図２に示すように、それぞれ複数本を横方向に並べて連続させることにより使用している。なお、上記チャンネル部材３と上記カバー部材６はアルミ等金属で成形されている。
【００１８】
上記チャンネル部材３は、その内部スペース７にベルト等のコンベヤ８を収納している。なお、この内部スペース７には、コンベヤ８の往路用のガイド板部９が設けられ、そのガイド板部９によりコンベヤ８の往路と復路が上下に仕切られている。なお、コンベヤ８の復路用のガイド板部１０はカバー部材６に設けられている。
【００１９】
上記チャンネル部材３は、その天板部１１において上記灰皿３の真下に吸殻等落下孔（図は省略）が形成されている。上記灰皿３の底は開口して、その吸殻等落下孔と開通している。
【００２０】
上記カバー部材６は上記チャンネル部材３の開口部５を覆うことができる形状に形成されているが、上記チャンネル部材３に対し幅方向の両端が係合して組み付けられるようになっている。すなわち、上記カバー部材６の幅方向の両端にそれぞれフック部１２，１３が設けられるとともに、上記チャンネル部材３の幅方向の両端にそれぞれ上記のフック部１２，１３が係合しうるフック受部１４，１５が設けられている。
【００２１】
なお、上記チャンネル部材３の長さ方向の一端にはコンベヤ８を駆動するモータ（図は省略）等が配され、上記チャンネル部材３の長さ方向の他端には吸殻等回収ボックス（図は省略）が設置されている。
【００２２】
すなわち、上記灰皿４に入れた吸殻等は、その灰皿４から上記チャンネル部材３の中に落ちて、上記コンベヤ８の上に載り、そのコンベヤ８により上記吸殻等回収ボックスへ送られる。
【００２３】
ところで、上記回収装置１７を長期間使用すると、そのチャンネル部材３の内部にタバコの臭いやヤニが付着するので定期的に洗浄することが望ましい。しかしながら、その洗浄作業は極めて煩瑣であり、また、洗浄だけでタバコの臭いを消したり、ヤニを除去するのが困難であった。
【００２４】
上記回収装置１７では、タバコの臭いを消したり、ヤニを除去するために、光触媒が用いられている。また、その光触媒として酸化チタンが用いられている。
【００２５】
上記光触媒としては、上記酸化チタンの他に、ガリウムリン、ガリウム砒素、硫化カドミウム、チタン酸ストロンチウム、酸化亜鉛、酸化鉄、及び酸化タングステン等の半導体や、金属イオン、金属錯体などが使用可能であるが、コスト、取り扱い易さ、効果等の点で酸化チタンが最も好ましい。
【００２６】
また、上記光触媒として用いる酸化チタンは、液状にされて、上記チャンネル部材３の内部にコーティングされている。すなわち、図３に示すように上記コンベヤ８の表面部と、図４に示すように上記チャンネル部材３の内面部と、上記カバー部材６の内面部とにコーティングされている。図３及び図４において、符号１８が光触媒コーティング部を示している。
なお、酸化チタン等光触媒をフィルム状にして上記コンベヤ８の表面部、上記チャンネル部材３の内面部、上記カバー部材６の内面部等に貼り付けてコーティングすることも可能である。すなわち、本発明におけるコーティングとは、物体の表面に被着するという意味であり、液状の塗工剤などを塗布するばかりでなく、フィルム等を表面に貼り付ける操作も含むものとする。
【００２７】
上記酸化チタンの液状体は、適宜な溶液に粉末状の酸化チタンを分散させることによって形成されている。上記酸化チタンの液状体としては、例えば、粉末状の酸化チタンを、ＰＨ調整して酸性又はアルカリ性にした溶液（水）や、界面活性剤を添加した中性の溶液に分散させることによって形成したもの（チタニアゾル）を使用することができる。また、四塩化チタンなどのチタン化合物を水に加えたゾルなども使用可能である。
【００２８】
上記光源１６には紫外線を発するものが使用されている。例えば、水銀ランプ、ブラックライト、ケミカルライト、発光ダイオード等が使用しうるものである。
【００２９】
【作用】
上記チャンネル部材３の内部に具えられた光触媒に上記光源１６から光を照射すると、酸化力の強いＯＨラジカルなどの活性酸素を発生する。そして、その活性酸素がタバコの臭いの分子やヤニの分子を分解して、脱臭したりヤニの付着を防止することができる。
【００３０】
次に、図５乃至図８に示した実施の形態について説明する。
本実施の形態に係る回収装置１９は、タバコの吸殻等を運ぶコンベヤ２０を具えたチャンネル部材２１の内部に酸化チタン等光触媒分散液を散布する手段と、チャンネル部材２１内部の光触媒分散液の散布箇所を照射可能な光源２３とが具えられている。
【００３１】
上記回収装置１９も、パチンコ台やスロットマシンなどの遊技機２４の前に玉箱などを置くために設けた台２５の下面側に取り付けるチャンネル部材２１を具えている。上記台２５上面側には灰皿２６を一体的に設け、その灰皿２６は台２５の下面側に開口するようにして、灰皿２６に入れた吸殻等は台２５下に落下してチャンネル部材２１の内部に入るようにしている。
【００３２】
上記チャンネル部材２１は、上記台２５の下面側に取り付けられるが、その側方を開口している。そして、その開口部２２を覆うようにカバー部材２７がチャンネル部材２１に対し着脱自在に装着されている。上記チャンネル部材２１とカバー部材２７の長さは自由であるが、上記チャンネル部材２１は１本の長さを約４ｍ程度にし、又、上記カバー部材２７は１本の長さを約２ｍ程度にしている。そして、上記チャンネル部材２１とカバー部材２７は、図６に示すように、それぞれ複数本を横方向に並べて連続させることにより使用することができる。なお、上記チャンネル部材２１とカバー部材２７はアルミ等金属で成形されている。
【００３３】
上記チャンネル部材２１は、その内部スペース２８にベルト等のコンベヤ２０を具えている。なお、この内部スペース２８には、コンベヤ２０の往路用のガイド板部２９が設けられて、そのガイド板部２９によりコンベヤ２０の往路と復路が上下に仕切られている。なお、上記コンベヤ２０の復路用のガイド板部３０はカバー部材２７に設けられている。また、上記チャンネル部材２１の天板部３１において上記の灰皿２６と対応する位置には、上記灰皿２６と開通する吸殻等落下孔（図は省略）が形成されている。
【００３４】
上記カバー部材２７は上記チャンネル部材２１の開口部２２を覆うことができる形状を有し、かつ、上記チャンネル部材２１に対し着脱自在に形成されている。その着脱機構として、カバー部材２７の幅方向の両端、すなわち前後方向の両端にそれぞれフック部３２，３３が設けられるとともに、チャンネル部材２１の幅方向の両端にそれぞれ上記のフック部３２，３３が掛止可能なフック受部３４，３５が形成されている。
【００３５】
なお、チャンネル部材２１の長さ方向の一端にはコンベヤ２０を駆動するモータ（図は省略）等が配され、チャンネル部材２１の他端には吸殻等回収ボックス（図は省略）が設置されている。すなわち、灰皿２６に入れた吸殻等は、その灰皿２６からチャンネル部材２１の中に落ちてコンベヤ２０の上に載り、そのコンベヤ２０により吸殻等回収ボックスへ送られる。
【００３６】
上記チャンネル部材２１を長期間使用すると、その内部にタバコの臭いやヤニが付着するので定期的に洗浄することが望ましい。しかしながら、その洗浄作業は極めて煩瑣であり、また、洗浄だけでタバコの臭いを消したり、ヤニを除去するのは困難である。そこで、上記回収装置１９は、上記チャンネル部材２１内部の脱臭やヤニの付着防止を容易にできるようにするため、チャンネル部材２１の内部に酸化チタン等光触媒分散液３７を散布する手段と、チャンネル部材２１内部の光触媒分散液３７の散布個所を照射可能な光源２３とを具えている。
【００３７】
上記光触媒としては、上記酸化チタンの他に、ガリウムリン、ガリウム砒素、硫化カドミウム、チタン酸ストロンチウム、酸化亜鉛、酸化鉄、及び酸化タングステン等の半導体や、金属イオン、金属錯体などが使用可能であるが、酸化チタンが最も好ましい。
【００３８】
また、上記光触媒分散液３７としては、例えば酸化チタンの粉末を、ＰＨ調整して酸性又はアルカリ性にした溶液（水）や、界面活性剤を添加した中性の溶液に分散させることによって形成したもの（チタニアゾル）を使用することができる。また、四塩化チタンなどのチタン化合物を水に加えたゾルなども使用可能である。
【００３９】
上記光触媒分散液３７の散布手段としては、図７に示すようなスプレー３６を使用している。このスプレー３６は容器内部に収納した光触媒分散液３７をノズル３８から噴出可能としている。このスプレー３６を使用する場合は、上記チャンネル部材２１からカバー部材２７を取り外してチャンネル部材２１を開口し、その開口部２２からチャンネル部材２１の上記内部スペース２８へ光触媒分散液３７を散布する。なお、カバー部材２７を取り外すのが面倒な場合は、チャンネル部材２１又はカバー部材２７に小孔（図は省略）を設けて、その小孔にスプレー３６のノズル３８を差し込んで散布することも可能である。
【００４０】
また、光触媒分散液３７の散布手段としては、図８に示すように、チャンネル部材２１の内部に光触媒分散液供給パイプ３９を設けて、そのパイプに設けたノズル孔４０から光触媒分散液３７を噴出させてチャンネル部材２１の内部に散布することも可能である。
【００４１】
上記光源２３には、紫外線を含むもの、例えば水銀ランプ、ブラックライト、ケミカルライト、発光ダイオード等を使用可能である。
【００４２】
チャンネル部材２１の内部に光触媒分散液３７を散布して、そこに光を照射すると、酸化力の強いＯＨラジカルなどの活性酸素を発生し、その活性酸素がタバコの臭いの分子やヤニの分子を分解して脱臭したりヤニの付着を防止することができる。
【００４３】
本実施の形態のように、チャンネル部材の内部に光触媒分散液を散布する手段を設けることによっても、タバコの臭いを脱臭し、ヤニの付着を防止することができる。また、チャンネル部材内部の光触媒が劣化して効果が落ちた場合に、適宜散布して効果を回復させることができるというメリットがある。
【００４４】
【発明の効果】
請求項１記載の本発明の回収装置は、チャンネル部材の内部に具えた光触媒に光源から光を照射することにより、活性酸素を発生させて、その活性酸素により臭い分子やヤニ分子を分解して、チャンネル部材の内部を消臭するとともに、ヤニの付着を防止することができて、チャンネル部材の内部をクリーンな状態に保つことができ、周囲の環境を快適にすることができる。したがって、煩雑な洗浄作業を軽減することができる。
また、請求項２記載の本発明の回収装置は、タバコの吸殻の臭いを脱臭する光触媒を容易にチャンネル部材の内部に具えることができる。
また、請求項３記載の本発明の回収装置は、光触媒がコンベヤ表面部にコーティングされているが、そのコンベヤはタバコの吸殻等被脱臭物を上に載せて運ぶ装置であり、その表面部が最もタバコの吸殻等被脱臭物と接触する箇所なので、脱臭及びヤニ付着防止効果が顕著である。
また、請求項４記載の本発明の回収装置は、光触媒がチャンネル部材とカバー部材の内面部とにコーティングされているので、チャンネル部材内部の天面部や側面部に付着した臭いを消すとともにヤニの付着を防止することができる。
また、請求項５記載の本発明の回収装置は、光触媒がコンベヤ表面部と、チャンネル部材とカバー部材の内面部とにコーティングされているので、チャンネル部材の内部全体を完全に脱臭したり、ヤニの付着を完全に防止することができる。したがって、回収装置内部が完全にクリーンな状態となり、周囲の環境が快適になる。
【図面の簡単な説明】
【図１】回収装置の内部構造を示す断面図である。
【図２】遊技機の前に設けられた台の下側に回収装置が取付けられた状態を示す正面図である。
【図３】コンベヤの表面部に光触媒がコーティングされた状態を示す部分断面図である。
【図４】チャンネル部材内面部に光触媒がコーティングされた状態を示す部分断面図である。
【図５】回収装置の内部構造を示す断面図である。
【図６】遊技機の前に設けられた台の下側に回収装置が取付けられた状態を示す正面図である。
【図７】スプレーの斜視図である。
【図８】チャンネル部材の内部構造を示す断面図である。
【符号の説明】
１　遊技機
２　台
３　チャンネル部材
４　灰皿
５　開口部
６　カバー部材
７　内部スペース
８　コンベヤ
９　ガイド板部
１０　ガイド板部
１１　天板部
１２　フック部
１３　フック部
１４　フック受部
１５　フック受部
１６　光源
１７　回収装置
１８　光触媒コーティング部
１９　回収装置
２０　コンベヤ
２１　チャンネル部材
２２　開口部
２３　光源
２４　遊技機
２５　台
２６　灰皿
２７　カバー部材
２８　内部スペース
２９　ガイド板部
３０　ガイド板部
３１　天板部
３２　フック部
３３　フック部
３４　フック受部
３５　フック受部
３６　スプレー
３７　光触媒分散液
３８　ノズル
３９　光触媒分散液供給パイプ
４０　ノズル孔
【図１】
2004065239.tif 000003
【図２】
2004065239.tif 000004
【図３】
2004065239.tif 000005
【図４】
2004065239.tif 000006
【図５】
2004065239.tif 000007
【図６】
2004065239.tif 000008
【図７】
2004065239.tif 000009
【図８】
2004065239.tif 000010